(57)【要約】【課題】筐体における接続部材が接続される接続部が設けられた面に液体収容部を取り付けた場合であっても、接続部に対して接続部材を容易に接続することが可能な記録装置を提供する。【解決手段】インクジェット式プリンター１２は、左側面に電源コード２４を接続可能な接続端子２３が設けられた筐体１４と、筐体１４内に移動可能に配置されたキャリッジに支持され、用紙に対してインクを噴射して記録を行う液体噴射ヘッドと、筐体１４の左側面に取り付けられるとともにインクが収容される第１インク収容部２５と、第１インク収容部２５のインクを液体噴射ヘッドへ導く第１インク導出チューブ３１とを備える。そして、第１インク収容部２５は、筐体１４の左側面において接続端子２３と重ならないように配置されている。【選択図】図２
2015112800.tif 000002
【特許請求の範囲】
【請求項１】
一側面に接続部材を接続可能な接続部が設けられた筐体と、
前記筐体内に移動可能に配置された移動体に支持され、被記録媒体に対して液体を噴射して記録を行う液体噴射ヘッドと、
前記筐体の一側面に取り付けられるとともに前記液体が収容される液体収容部と、
前記液体収容部の前記液体を前記液体噴射ヘッドへ導く液体供給チューブと
を備え、
前記液体収容部は、前記筐体の一側面において前記接続部と重ならないように配置されていることを特徴とする記録装置。
【請求項２】
前記筐体における前記一側面とは反対側の他側面には、前記液体収容部とは別の液体収容部が取り付けられ、
前記別の液体収容部に収容された液体は、前記液体供給チューブとは別の液体供給チューブによって前記液体噴射ヘッドへ導かれ、
前記液体収容部は、前記別の液体収容部よりも小さいことを特徴とする請求項１に記載の記録装置。
【請求項３】
前記液体収容部には、１種類の液体が収容され、
前記別の液体収容部には、前記１種類の液体とは異なる複数種類の液体が収容されていることを特徴とする請求項２に記載の記録装置。
【請求項４】
前記液体収容部には、当該液体収容部と前記接続部とが重なることを回避するように、切欠部が設けられていることを特徴とする請求項１〜請求項３のうちいずれか一項に記載の記録装置。
【請求項５】
前記筐体は、第１部材と第２部材とを組み付けることによって形成され、
前記第１部材における前記第２部材との対向面及び前記第２部材における前記第１部材との対向面のうち少なくとも一方には、内蔵物を収容するための収容凹部が形成されていることを特徴とする請求項１〜請求項４のうちいずれか一項に記載の記録装置。
【請求項６】
前記内蔵物は、電源装置であり、
前記接続部は、前記電源装置と電気的に接続された接続端子であり、
前記接続部材は、前記接続端子に接続されて前記電源装置に電力を供給するための電源コードであることを特徴とする請求項５に記載の記録装置。
【請求項７】
前記液体収容部は、前記第１部材及び前記第２部材のうち少なくとも一方に取り付けられることを特徴とする請求項５または請求項６に記載の記録装置。
【発明の詳細な説明】
【技術分野】
【０００１】
本発明は、例えば、インクジェット式プリンターなどの記録装置に関する。
【背景技術】
【０００２】
従来から、記録装置の一種として、液体噴射ヘッドから用紙等の被記録媒体に対してインクを噴射することにより印刷（記録）を行うインクジェット式プリンターが知られている。このようなプリンターにおいては、比較的大量の印刷を行う場合に液体噴射ヘッドへ連続的に安定してインクを供給するために、インクの収容容量が比較的大きなインクタンク（液体収容部）からインク供給チューブ（液体供給チューブ）を通じて液体噴射ヘッドにインクを供給する構成が提案されている（例えば、特許文献１参照）。
【０００３】
このような構成のプリンターでは、筐体内で用紙に対する主走査方向へ往復移動可能に設けられたキャリッジに液体噴射ヘッドが搭載されている。そして、筐体の側面に取り付けられたインクタンクから延びるインク供給チューブが、筐体に形成された貫通孔を通じてキャリッジの移動領域に挿入され、キャリッジに搭載された液体噴射ヘッドに接続される。
【先行技術文献】
【特許文献】
【０００４】
【特許文献１】国際公開第９７／４２０３５号パンフレット
【発明の概要】
【発明が解決しようとする課題】
【０００５】
ところで、上述のようなプリンターでは、インクの交換頻度を減らすためにインクタンクを大型化すると、プリンターに対して相対的にインクタンクが大きくなる一方、使用スペースを小さくするためにプリンターを小型化すると、インクタンクの大きさはそのままでも、プリンターに対して相対的にインクタンクが大きくなる。
【０００６】
したがって、上述のようなプリンターにおいて、筐体における電源コード（接続部材）などの差込口（接続部）が形成された面にインクタンクを取り付ける場合には、差込口とインクタンクとが干渉して、差込口に電源コードなどを差し込むことが困難になるという問題がある。
【０００７】
なお、こうした問題は、インクジェット式プリンターに限らず、筐体の外側面に取り付けられた液体収容部から液体供給チューブを介して筐体内の液体噴射ヘッドに供給された液体を当該液体噴射ヘッドから噴射して記録を行う記録装置においては、概ね共通したものとなっている。
【０００８】
本発明は、このような従来技術に存在する問題点に着目してなされたものである。その目的とするところは、筐体における接続部材が接続される接続部が設けられた面に液体収容部を取り付けた場合であっても、接続部に対して接続部材を容易に接続することが可能な記録装置を提供することにある。
【課題を解決するための手段】
【０００９】
以下、上記課題を解決するための手段及びその作用効果について記載する。
上記課題を解決する記録装置は、一側面に接続部材を接続可能な接続部が設けられた筐体と、前記筐体内に移動可能に配置された移動体に支持され、被記録媒体に対して液体を噴射して記録を行う液体噴射ヘッドと、前記筐体の一側面に取り付けられるとともに前記液体が収容される液体収容部と、前記液体収容部の前記液体を前記液体噴射ヘッドへ導く液体供給チューブとを備え、前記液体収容部は、前記筐体の一側面において前記接続部と重ならないように配置されている。
【００１０】
この構成によれば、筐体における接続部材が接続される接続部が設けられた面に液体収容部を取り付けた場合であっても、液体収容部が接続部と重ならないので、接続部に対して接続部材を容易に接続することが可能となる。
【００１１】
上記記録装置において、前記筐体における前記一側面とは反対側の他側面には、前記液体収容部とは別の液体収容部が取り付けられ、前記別の液体収容部に収容された液体は、前記液体供給チューブとは別の液体供給チューブによって前記液体噴射ヘッドへ導かれ、前記液体収容部は、前記別の液体収容部よりも小さいことが好ましい。
【００１２】
この構成によれば、小さい方の液体収容部が筐体における接続部の設けられた一側面に配置されるので、スペースを有効活用でき、記録装置全体の小型化に寄与することが可能となる。
【００１３】
上記記録装置において、前記液体収容部には、１種類の液体が収容され、前記別の液体収容部には、前記１種類の液体とは異なる複数種類の液体が収容されていることが好ましい。
【００１４】
この構成によれば、液体収容部及び別の液体収容部に液体を効率的に収容することが可能となる。
上記記録装置において、前記液体収容部には、当該液体収容部と前記接続部とが重なることを回避するように、切欠部が設けられていることが好ましい。
【００１５】
この構成によれば、液体収容部が接続部に重なることを回避しつつ、液体収容部の容量の低下を抑制することが可能となる。
上記記録装置において、前記筐体は、第１部材と第２部材とを組み付けることによって形成され、前記第１部材における前記第２部材との対向面及び前記第２部材における前記第１部材との対向面のうち少なくとも一方には、内蔵物を収容するための収容凹部が形成されていることが好ましい。
【００１６】
この構成によれば、収容凹部に内蔵物を収容してから第１部材と第２部材とを組み付けることで、筐体内に内蔵物を容易に組み付けることが可能となる。
上記記録装置において、前記内蔵物は、電源装置であり、前記接続部は、前記電源装置と電気的に接続された接続端子であり、前記接続部材は、前記接続端子に接続されて前記電源装置に電力を供給するための電源コードであることが好ましい。
【００１７】
この構成によれば、筐体内に電源装置を容易に組み付けることが可能となる。
上記記録装置において、前記液体収容部は、前記第１部材及び前記第２部材のうち少なくとも一方に取り付けられることが好ましい。
【００１８】
この構成によれば、液体収容部及び電源装置を第１部材及び第２部材のうちのいずれか一方に取り付けてから第１部材と第２部材とを組み付けることで、筐体内に電源装置を容易に組み付けることが可能となる。また、第１部材と第２部材とを組み付けた後に、第１部材及び第２部材の両方に液体収容部を取り付けることで、第１部材と第２部材との組み付け強度を高めることが可能となる。
【図面の簡単な説明】
【００１９】
【図１】一実施形態における複合機を前側から見たときの状態を示す斜視図。
【図２】複合機を後側から見たときの状態を示す斜視図。
【図３】上部ユニットの模式斜視図。
【図４】筐体の要部を示す側面模式図。
【図５】下部ユニットの模式斜視図。
【図６】筐体に対する第１インク収容部及び第２インク収容部の取付部分を示す要部拡大断面模式図。
【図７】変更例における複合機を後側から見たときの状態を示す斜視図。
【図８】変更例における複合機を後側から見たときの状態を示す斜視図。
【図９】変更例における筐体に対する第１インク収容部及び第２インク収容部の取付部分を示す要部拡大断面模式図。
【図１０】変更例における筐体に対する第１インク収容部及び第２インク収容部の取付部分を示す要部拡大断面模式図。
【図１１】変更例おける筐体の要部を示す側面模式図。
【図１２】変更例おける筐体の要部を示す側面模式図。
【発明を実施するための形態】
【００２０】
以下、記録装置の一例であるインクジェット式プリンターを有した複合機の一実施形態を、図面に従って説明する。
図１に示すように、複合機１１は、全体として略直方体状をなしており、被記録媒体の一例としての用紙Ｐに液体の一例としてのインクを噴射して印刷（記録）を行う記録装置の一例としてのインクジェット式プリンター１２と、インクジェット式プリンター１２上に配置されて原稿などを読み取るスキャナー１３とを備えている。インクジェット式プリンター１２は直方体状をなす合成樹脂製の筐体１４を備えており、筐体１４の前端部における上端部には複合機１１の各種の操作を行うための操作部１５が設けられている。
【００２１】
筐体１４は、第１部材の一例としての上部ユニット１６と、上部ユニット１６の下側に組み付けられる第２部材の一例としての下部ユニット１７とを備えている。この場合、上部ユニット１６は、ユニットカバー１６ａによって覆われている。筐体１４の前面における上部には、筐体１４内で印刷された用紙Ｐが排紙される矩形状の排紙口１８が開口している。排紙口１８内には、排紙口１８から排紙される用紙Ｐを支持する矩形板状の排紙トレイ１９が排紙方向である前方に向かって引き出し可能に収容されている。
【００２２】
筐体１４の前面における排紙トレイ１９の下側には、上下二段の給紙カセット２０，２１が着脱自在に装着されている。給紙カセット２０，２１には異なるサイズの用紙Ｐがそれぞれ積層状態で収容されている。もちろん、給紙カセット２０，２１には同じサイズの用紙Ｐを収容するようにしてもよい。
【００２３】
図１及び図２に示すように、筐体１４の一側面である左側面には、筐体１４内に配置された後述する内蔵物の一例としての電源装置２２（図４参照）と電気的に接続された接続部の一例としての接続端子２３が設けられている。接続端子２３には、電源装置２２（図４参照）に電力を供給するための接続部材の一例としての電源コード２４が着脱自在に接続されている。
【００２４】
さらに、筐体１４の左側面には、液体収容部の一例としての第１インク収容部２５が取り付けられている。この場合、第１インク収容部２５は、筐体１４の左側面において接続端子２３とは重ならないように取り付けられている。また、筐体１４における一側面とは反対側の他側面である右側面には、別の液体収容部の一例としての第２インク収容部２６が取り付けられている。そして、第１インク収容部２５は、第２インク収容部２６よりも大きさが小さくなるように設定されている。
【００２５】
第１インク収容部２５は、上端が開口した前後方向に長い有底矩形箱状をなす合成樹脂製の第１ケース２７と、第１ケース２７内に収容された第１インク収容体２８とを備えている。第１ケース２７内の上端部における長手方向の両端部には、それぞれフランジ部２９が設けられている。
【００２６】
第１インク収容体２８は、ブラックインクが充填された第１インク袋２８ａと、第１インク袋２８ａの上端部に取着された略矩形状の第１支持板２８ｂとを備えている。そして、第１インク収容体２８は、第１支持板２８ｂの長手方向の両端部が第１ケース２７の各フランジ部２９上にそれぞれ載せられた状態で第１ケース２７内に収容されている。すなわち、第１インク収容体２８は、第１ケース２７内で第１インク袋２８ａが第１支持板２８ｂによって吊り下げられるようにして、第１ケース２７内に収容されている。
【００２７】
第１支持板２８ｂの上面の中央部には、第１インク袋２８ａ内のブラックインクを導出するための第１インク導出部３０が設けられている。第１インク導出部３０には液体供給チューブの一例としての第１インク導出チューブ３１の一端側が接続され、第１インク導出チューブ３１の他端側は筐体１４における第１ケース２７側の側壁に形成された貫通孔３２を通して筐体１４内に挿入されて、後述する液体噴射ヘッド５２に接続されている。
【００２８】
第２インク収容部２６は、上端が開口した前後方向に長い有底矩形箱状をなす合成樹脂製の第２ケース３３と、第２ケース３３内に前後方向に並ぶように収容された第２〜第４インク収容体３４〜３６とを備えている。第２ケース３３内の上端部における短手方向の両端部には、長手方向全体にわたって延びるフランジ部３７が設けられている。そして、第２〜第４インク収容体３４〜３６は、第１インク収容体２８よりも大きさが小さくなるように設定されている。
【００２９】
第２〜第４インク収容体３４〜３６は、第２〜第４インク袋３４ａ〜３６ａと、第２〜第４インク袋３４ａ〜３６ａの上端部に取着された略矩形状の第２〜第４支持板３４ｂ〜３６ｂとをそれぞれ備えている。第２インク袋３４ａ、第３インク袋３５ａ、及び第４インク袋３６ａには、シアンインク、マゼンタインク、及びイエローインクがそれぞれ充填されている。したがって、第２インク収容部２６の第２〜第４インク収容体３４〜３６に収容されるインクと、第１インク収容部２５の第１インク収容体２８に収容されるインクとは、互いに色（種類）が異なっている。
【００３０】
第２〜第４インク収容体３４〜３６は、第２〜第４支持板３４ｂ〜３６ｂの長手方向の両端部が第２ケース３３の各フランジ部３７上にそれぞれ載せられた状態で第２ケース３３内に収容されている。すなわち、第２〜第４インク収容体３４〜３６は、第２ケース３３内で第２〜第４インク袋３４ａ〜３６ａが第２〜第４支持板３４ｂ〜３６ｂによってそれぞれ吊り下げられるようにして、第２ケース３３内に収容されている。
【００３１】
この場合、第２ケース３３内には、第２〜第４インク収容体３４〜３６が、前側から後側に向かって第２インク収容体３４、第３インク収容体３５、及び第４インク収容体３６の順で並ぶように収容されている。第２〜第４支持板３４ｂ〜３６ｂの上面の中央部には、第２〜第４インク袋３４ａ〜３６ａ内のインクを導出するための第２〜第４インク導出部３８〜４０がそれぞれ設けられている。
【００３２】
第２〜第４インク導出部３８〜４０には、別の液体供給チューブの一例としての第２〜第４インク導出チューブ４１〜４３の一端側がそれぞれ接続されている。一方、第２〜第４インク導出チューブ４１〜４３の他端側は、筐体１４における第２ケース３３側の側壁に形成された貫通孔（図示略）を通して筐体１４内に挿入されて、後述する液体噴射ヘッド５２に接続されている。
【００３３】
図３に示すように、上部ユニット１６の後端部には、前後一対のガイドレール４５が左右方向に延びるように設けられている。一対のガイドレール４５上には、当該一対のガイドレール４５に跨るように、移動体の一例としてのキャリッジ４６が配置されている。すなわち、キャリッジ４６は、一対のガイドレール４５により、当該一対のガイドレール４５に沿ってガイドされながら往復移動可能に支持されている。
【００３４】
キャリッジ４６の往復移動方向は主走査方向Ｘとされ、本実施形態では左右方向が主走査方向Ｘと一致している。そして、キャリッジ４６は、キャリッジモーター（図示略）の駆動力により、主走査方向Ｘに往復移動される。上部ユニット１６上における一対のガイドレール４５の左右両側には、板状の金属フレーム４７が配置されている。さらに、上部ユニット１６上におけるそれぞれの金属フレーム４７の前側には、上部ユニット１６にユニットカバー１６ａ（図１参照）を取り付けるための係合支柱４８が立設されている。
【００３５】
また、図３及び図４に示すように、上部ユニット１６における下部ユニット１７との対向面である下面１６ｂの左端部には、電源装置２２を収容するための収容凹部４９が設けられている。そして、上部ユニット１６に下部ユニット１７を組み付けた場合には、収容凹部４９と、下部ユニット１７における上部ユニット１６との対向面である上面１７ａとで囲まれた空間に電源装置２２が収容される。
【００３６】
上部ユニット１６上の前部における左右方向の中央部には、基板（図示略）が配置される基板配置部５０が設けられている。上部ユニット１６の下面１６ｂの前部における左右方向の中央部には、給紙カセット２０が挿入されるカセット挿入部５１が凹設されている。
【００３７】
図１及び図３に示すように、キャリッジ４６の下端部には、第１インク収容部２５及び第２インク収容部２６から第１〜第４インク導出チューブ３１，４１〜４３を介して供給される各色のインクを噴射可能な液体噴射ヘッド５２が支持されている。筐体１４内における液体噴射ヘッド５２と対向する位置には、給紙カセット２０，２１から選択的に給紙される用紙Ｐを支持する支持台（図示略）が配置されている。そして、キャリッジ４６が主走査方向Ｘに移動しながら液体噴射ヘッド５２の下面に開口する複数のノズル（図示略）から支持台（図示略）上の用紙Ｐに対して各色のインクを噴射することで、用紙Ｐの印刷がなされる。
【００３８】
図５に示すように、下部ユニット１７の上面１７ａにおける左右方向の中央部には、給紙カセット２１が挿入されるカセット挿入部５３が凹設されている。下部ユニット１７の上面１７ａの後端部における左右両端部には、下部ユニット１７を上部ユニット１６（図１参照）に取り付けるための係合部材５４が立設されている。
【００３９】
図１、図３及び図６に示すように、第１インク収容部２５の第１ケース２７は、ねじ５５によって筐体１４の上部ユニット１６に取り付けられている（固定されている）。すなわち、第１ケース２７、ユニットカバー１６ａ、及び金属フレーム４７は、互いに重なるねじ孔５６，５７，５８をそれぞれ有しており、ねじ孔５６，５７，５８にねじ５５を螺入することによって共締めされている。
【００４０】
また、第２インク収容部２６の第２ケース３３も、第１インク収容部２５の第１ケース２７と同様に、ねじ５５によって筐体１４の上部ユニット１６に取り付けられている（固定されている）。すなわち、第２ケース３３は、ねじ孔５７，５８と重なるねじ孔６０を有しており、ねじ孔６０，５７，５８にねじ５５を螺入することによって共締めされている。
【００４１】
次に、複合機１１のインクジェット式プリンター１２の接続端子２３に電源コード２４を接続する場合の作用について説明する。
インクジェット式プリンター１２の接続端子２３に電源コード２４を接続する場合には、電源コード２４における接続端子２３に接続する側の端部を持って接続端子２３に差し込む。すると、接続端子２３に電源コード２４が接続される。
【００４２】
このとき、筐体１４における接続端子２３が設けられた左側面に第１インク収容部２５が取り付けられているが、第１インク収容部２５は接続端子２３と重ならないので、第１インク収容部２５が接続端子２３に対して電源コード２４を接続する際の障害にならない。このため、接続端子２３に対して電源コード２４を容易に接続することができる。
【００４３】
また、接続端子２３から電源コード２４を引き抜く作業も、接続端子２３に電源コード２４を接続する作業と同様に、容易に行うことができる。したがって、接続端子２３に対して電源コード２４を容易に着脱することができる。
【００４４】
以上、詳述した実施形態によれば以下の効果を得ることができる。
（１）第１インク収容部２５は、筐体１４の左側面において接続端子２３と重ならないように配置されているため、第１インク収容部２５が接続端子２３に対して電源コード２４を接続する際の障害にならない。したがって、接続端子２３に対して電源コード２４を容易に接続することができる。
【００４５】
（２）第１インク収容部２５及び第２インク収容部２６のうちの小さい方である第１インク収容部２５を筐体１４における接続端子２３の設けられた左側面に取り付けているので、スペースを有効活用でき、複合機１１全体の小型化に寄与することができる。
【００４６】
（３）第１インク収容部２５には、ブラックインクが収容され、第２インク収容部２６には、ブラックインクとは異なる３種類のカラーインク（シアンインク、マゼンタインク、及びイエローインク）が収容されている。したがって、第１インク収容部２５及び第２インク収容部２６に複数色のインクを効率的に収容することができる。
【００４７】
（４）上部ユニット１６における下部ユニット１７との対向面である下面１６ｂには、電源装置２２を収容するための収容凹部４９が形成されている。このため、収容凹部４９に電源装置２２を収容してから上部ユニット１６と下部ユニット１７とを組み付けることで、筐体１４内に電源装置２２を容易に組み付けることができる。
【００４８】
（５）第１インク収容部２５及び第２インク収容部２６は、上部ユニット１６に取り付けられている。このため、第１インク収容部２５、第２インク収容部２６、及び電源装置２２を上部ユニット１６に取り付けてから上部ユニット１６と下部ユニット１７とを組み付けることで、筐体１４内に電源装置２２を容易に組み付けることができる。
【００４９】
（変更例）
なお、上記実施形態は以下のように変更してもよい。
・図７に示すように、第１インク収容部２５の第１ケース２７には、第１ケース２７と接続端子２３とが重なることを回避するように、切欠部７０を設けるようにしてもよい。この場合、切欠部７０は、第１ケース２７の後端部における上下方向の中央部に設けられ、略Ｕ字状をなしている。このようにすれば、第１インク収容部２５（第１ケース２７）が接続端子２３に重なることを回避しつつ、第１インク収容部２５の容量の低下を抑制することができる。
【００５０】
・図８に示すように、第１インク収容部２５の第１ケース２７には、第１ケース２７と接続端子２３とが重なることを回避するように、切欠部７１を設けるようにしてもよい。この場合、切欠部７１は、第１ケース２７の後端部における下端部（コーナー部）に設けられ、略Ｌ字状をなしている。このようにすれば、第１インク収容部２５（第１ケース２７）が接続端子２３に重なることを回避しつつ、第１インク収容部２５の容量の低下を抑制することができる。
【００５１】
・図９に示すように、第１インク収容部２５の第１ケース２７とユニットカバー１６ａとの間にねじ孔７２を有する補強用の板金部材７３を介在させるようにしてもよい。この場合、第１ケース２７、板金部材７３、ユニットカバー１６ａ、及び金属フレーム４７は、互いに重なるねじ孔５６，７２，５７，５８にねじ５５を螺入することによって共締めされる。このようにすれば、第１インク収容部２５（第１ケース２７）の筐体１４に対する取り付け強度を高めることができる。
【００５２】
加えて、第２インク収容部２６の第２ケース３３とユニットカバー１６ａとの間にねじ孔７２を有する補強用の板金部材７３を介在させるようにしてもよい。この場合、第２ケース３３、板金部材７３、ユニットカバー１６ａ、及び金属フレーム４７は、互いに重なるねじ孔６０，７２，５７，５８にねじ５５を螺入することによって共締めされる。このようにすれば、第２インク収容部２６（第２ケース３３）の筐体１４に対する取り付け強度を高めることができる。
【００５３】
・図１０に示すように、第１インク収容部２５の第１ケース２７とユニットカバー１６ａとの間にねじ孔７２を有する補強用の板金部材７３を介在させて金属フレーム４７を省略するようにしてもよい。この場合、第１ケース２７、板金部材７３、及びユニットカバー１６ａは、互いに重なるねじ孔５６，７２，５７にねじ５５を螺入することによって共締めされる。このようにすれば、第１インク収容部２５（第１ケース２７）の筐体１４に対する取り付け強度を高めることができる。
【００５４】
加えて、第２インク収容部２６の第２ケース３３とユニットカバー１６ａとの間にねじ孔７２を有する補強用の板金部材７３を介在させて金属フレーム４７を省略するようにしてもよい。この場合、第２ケース３３、板金部材７３、及びユニットカバー１６ａは、互いに重なるねじ孔６０，７２，５７にねじ５５を螺入することによって共締めされる。このようにすれば、第２インク収容部２６（第２ケース３３）の筐体１４に対する取り付け強度を高めることができる。
【００５５】
・図１１に示すように、上部ユニット１６の収容凹部４９を省略し、下部ユニット１７における上部ユニット１６との対向面である上面１７ａに電源装置２２を収容するための収容凹部７４を設けるようにしてもよい。
【００５６】
・図１２に示すように、上部ユニット１６の収容凹部４９と対向するように下部ユニット１７における上部ユニット１６との対向面である上面１７ａに収容凹部７４をさらに設け、収容凹部４９と収容凹部７４とで囲まれる空間に電源装置２２を収容するようにしてもよい。
【００５７】
・第１インク収容部２５（第１ケース２７）及び第２インク収容部２６（第２ケース３３）のうちの少なくとも一方は、ねじ５５によって筐体１４の下部ユニット１７に取り付ける（固定する）ようにしてもよい。このようにすれば、第１インク収容部２５及び第２インク収容部２６のうちの少なくとも一方と電源装置２２を下部ユニット１７に取り付けてから上部ユニット１６と下部ユニット１７とを組み付けることで、筐体１４内に電源装置２２を容易に組み付けることができる。なお、第１インク収容部２５（第１ケース２７）及び第２インク収容部２６（第２ケース３３）のうちの少なくとも一方を、ねじ５５によって筐体１４の下部ユニット１７に取り付ける（固定する）場合には、下部ユニット１７が金属フレームを有していないので、これらの取り付け強度を考慮すると、板金部材を介在させることが好ましい。
【００５８】
・第１インク収容部２５（第１ケース２７）及び第２インク収容部２６（第２ケース３３）のうちの少なくとも一方は、ねじ５５によって筐体１４の上部ユニット１６及び下部ユニット１７に取り付ける（固定する）ようにしてもよい。このようにすれば、上部ユニット１６と下部ユニット１７とを組み付けた後に、上部ユニット１６及び下部ユニット１７の両方に第１インク収容部２５及び第２インク収容部２６のうちの少なくとも一方を取り付ける（固定する）ことで、上部ユニット１６と下部ユニット１７との組み付け強度を高めることができる。
【００５９】
・電源装置２２以外の部材を内蔵物としてもよい。
・接続部をＬＡＮケーブルの差込口やＵＳＢメモリーの差込口などを備えた構成とし、これらの差込口に接続部材としてのＬＡＮケーブルやＵＳＢメモリーなどを差し込んで接続するようにしてもよい。
【００６０】
・第２インク収容部２６は省略してもよい。
・第２インク収容部２６を省略し、第１インク収容部２５から液体噴射ヘッド５２に複数色のインク（例えば、ブラックインクや、シアンインク、マゼンタインク、及びイエローインクなどのカラーインク）が導かれるように構成してもよい。
【００６１】
・第１インク収容部２５及び第２インク収容部２６のうちの少なくとも一方を硬質のケースに直接インクが収容される構成としてもよい。
・第１インク収容部２５及び第２インク収容部２６のうちの少なくとも一方は、インクを補充可能な構成にしてもよい。
【００６２】
・第１インク収容部２５及び第２インク収容部２６の配置は入れ替えてもよい。
・ブラックインク、シアンインク、マゼンタインク、及びイエローインクのうちのいずれか１つのインク以外の３つのインクのうちの少なくとも１つをインクカートリッジから供給するように構成してもよい。
【００６３】
・インクジェット式プリンター１２では、ブラックインク、シアンインク、マゼンタインク、及びイエローインクの４色対応の構成としたが、単色や２色対応の構成としてもよいし、５色以上に対応可能な構成としてもよい。
【００６４】
・被記録媒体は、用紙Ｐだけでなく、布、プラスチックフィルム、ＣＤなどであってもよい。
【符号の説明】
【００６５】
１２…記録装置の一例としてのインクジェット式プリンター、１４…筐体、１６…第１部材の一例としての上部ユニット、１７…第２部材の一例としての下部ユニット、２２…内蔵物の一例としての電源装置、２３…接続部の一例としての接続端子、２４…接続部材の一例としての電源コード、２５…液体収容部の一例としての第１インク収容部、２６…別の液体収容部の一例としての第２インク収容部、３１…液体供給チューブの一例としての第１インク導出チューブ、４１〜４３…別の液体供給チューブの一例としての第２〜第４インク導出チューブ、４６…移動体の一例としてのキャリッジ、４９，７４…収容凹部、５２…液体噴射ヘッド、７０，７１…切欠部、Ｐ…被記録媒体の一例としての用紙。
【図１】
2015112800.tif 000003
【図２】
2015112800.tif 000004
【図３】
2015112800.tif 000005
【図４】
2015112800.tif 000006
【図５】
2015112800.tif 000007
【図６】
2015112800.tif 000008
【図７】
2015112800.tif 000009
【図８】
2015112800.tif 000010
【図９】
2015112800.tif 000011
【図１０】
2015112800.tif 000012
【図１１】
2015112800.tif 000013
【図１２】
2015112800.tif 000014